(57)【要約】  【課題】  従来、冷蔵庫内の野菜容器は前面扉と共に水平方向へ引き出し自在であり、ペットボトルなどの比較的背の高い物を収納する背高貯蔵物収納部を野菜容器の前側に設け、前面扉と共に野菜容器が前方へ引き出されるとき背高貯蔵物収納部も一緒に引き出される。しかし、野菜容器と背高貯蔵物収納部の物の取り出し収納は共に上方開口の真上から行うこととなり依然として作業がし難い。本発明は、野菜容器の前面と前面扉の内面との間に、ペットボトルの比較的背の高い貯蔵物を収納する補助収納部を設け、この補助収納部とその奥の野菜容器に対する物の取り出しと収納をし易い構成を提供する。  【解決手段】  前面扉と補助物品収納部は、主物品収納部（又は野菜容器）と共に動く前後方向引き出し状態と主物品収納部（又は野菜容器）とは別個に前方へ回動する状態とに作動可能としたこと。【選択図】  図４
2004191039.tif 000002
【特許請求の範囲】
【請求項１】
貯蔵室の前面開口を開閉する前面扉はその裏側に補助物品収納部を備え、前記補助物品収納部の後方位置には前記前面扉と共に前記貯蔵室内に前後方向引き出し自在に主物品収納部が設けられ、前記前面扉と前記補助物品収納部は、前記主物品収納部と共に動く前後方向引き出し状態と前記主物品収納部とは別個に前方へ回動する状態とに作動可能としたことを特徴とする物品貯蔵庫。
【請求項２】
貯蔵室の前面開口を開閉する前面扉と共に物品収納容器を前記貯蔵室内に引き出し自在に設けた物品貯蔵庫において、前記物品収納容器は前記貯蔵室の左右側壁に対して前後方向に引き出し収納自在に支持され、前記前面扉は軸支持部を中心として上部が前方へ回動可能に支持され、前記前面扉と前記物品収納容器が共に前後方向へ引き出される結合状態と前記結合状態が解除されて前記前面扉が回動可能となる解除状態とに切り替えられる連結装置を備え、前記前面扉の裏側には、前記物品収納容器の前方位置で前記前面扉の回動と共に回動する補助物品収納部を設けたことを特徴とする物品貯蔵庫。
【請求項３】
前記連結装置の操作部を前記前面扉の取っ手に設けたことを特徴とする請求項２に記載の物品貯蔵庫。
【請求項４】
前記貯蔵室を冷蔵温度室とし、前記補助物品収納部をペットボトル等の如き飲料容器の収納部としたことを特徴とする請求項１乃至３のいずれかに記載の物品貯蔵庫。
【請求項５】
前記貯蔵室を野菜室とし、前記物品収納容器を上面開口の野菜収納容器とし、前記補助物品収納部をペットボトル等の如き縦長物品を収納する上面開口の収納部としたことを特徴とする請求項２又は３に記載の物品貯蔵庫。
【請求項６】
前記補助物品収納部を上部が前記前面扉の裏側に揺動自在に支持された上面開口の補助物品収納容器で構成し、前記前面扉と共に前記補助物品収納容器を前傾状態に回動可能に構成したことを特徴とする請求項１乃至４のいずれかに記載の物品貯蔵庫。
【請求項７】
貯蔵室の前面開口を開閉する前面扉はその裏側に補助物品収納容器を備え、前記補助物品収納容器の後方位置には前記前面扉と共に前記貯蔵室内に引き出し支持装置によって前後方向に引き出し自在に主物品収納容器が設けられ、前記前面扉は前記引き出し支持装置に対して上部が前方へ回動するように支持され、前記前面扉と前記補助物品収納容器は、前記主物品収納容器と共に動く前後方向引き出し状態と前記主物品収納容器とは別個に前方へ回動する状態とに作動可能としたことを特徴とする物品貯蔵庫。
【請求項８】
貯蔵室の前面開口を開閉する前面扉と共に主物品収納容器が前記貯蔵室内に引き出し自在に設けられ、前記主物品収納容器の前方で前記前面扉の裏側には補助物品収納容器を設けて前記前面扉と共に前記補助物品収納容器が前傾状態に回動可能に構成され、前記補助物品収納容器の後壁と前記主物品収納容器の前壁には前記前面扉が閉じられた状態において相互に近接若しくは重なり合うフランジを形成したことを特徴とする物品貯蔵庫。
【発明の詳細な説明】
【技術分野】
【０００１】
本発明は、貯蔵室の前面開口を開閉する前面扉と共に物品収納容器を前記貯蔵室内に引き出し自在に設けた物品貯蔵庫に関する。
【背景技術】
【０００２】
野菜室の前面開口を開閉する前面扉と共に野菜容器を野菜室に引き出し自在に設けた冷蔵庫がある（例えば、特許文献１参照）。この冷蔵庫は、野菜容器の前面と前面扉の内面との間に、ペットボトル、ビール瓶及び牛乳パックなどの比較的背の高い貯蔵物を収納する背高貯蔵物収納部を設けた構成である。この背高貯蔵物収納部は、野菜容器と別体形成でもよく、また一体形成でもよいと記載されている。
【特許文献１】特開２００２‐１５６１８３号公報（第３〜５頁、図１〜１０）
【発明の開示】
【発明が解決しようとする課題】
【０００３】
特許文献１のものは、前面扉と共に野菜容器が前方へ引き出されるとき背高貯蔵物収納部も一緒に引き出されるが、前面扉と共に野菜容器が前方へ引き出されるとき、野菜容器の奥行きが大きい場合は野菜容器全体が冷蔵庫本体の前方へ引き出されず、そのために、野菜室の前面開口周縁部によって野菜容器に対する野菜の収納と取り出し作業は制限される。そして、野菜容器と背高貯蔵物収納部に貯蔵された物の取り出しとそこへの収納は、従来どおり野菜容器と背高貯蔵物収納部の上方開口の真上から行うこととなり、依然としてこの制限は存在する。また背高貯蔵物収納部に貯蔵されたペットボトル、ビール瓶、牛乳パックなど重量が大きなものは、真上に持ち取り出す場合はその全体の重量を持ち上げることになるため、収納と取り出し作業上からして好ましくない。
【０００４】
本発明はこのような点に鑑みて、野菜容器の前面と前面扉の内面との間に、ペットボトル、ビール瓶及び牛乳パックなどの比較的背の高い貯蔵物を収納する収納部を設けた場合にも、この収納部とその奥の野菜容器に対する物の取り出しと収納をし易い構成を提供するものである。
【課題を解決するための手段】
【０００５】
第１の発明の物品貯蔵庫は、貯蔵室の前面開口を開閉する前面扉はその裏側に補助物品収納部を備え、前記補助物品収納部の後方位置には前記前面扉と共に前記貯蔵室内に前後方向引き出し自在に主物品収納部が設けられ、前記前面扉と前記補助物品収納部は共に、前記主物品収納部と共に動く前後方向引き出し状態と前記主物品収納部とは別個に前方へ回動する状態とに作動可能としたことを特徴とする。
【０００６】
第２の発明の物品貯蔵庫は、貯蔵室の前面開口を開閉する前面扉と共に物品収納容器を前記貯蔵室内に引き出し自在に設けた物品貯蔵庫において、前記物品収納容器は前記貯蔵室の左右側壁に対して前後方向に引き出し収納自在に支持され、前記前面扉は軸支持部を中心として上部が前方へ回動可能に支持され、前記前面扉と前記物品収納容器と共に前後方向へ引き出される結合状態と前記結合状態が解除されて前記前面扉が回動可能となる解除状態とに切り替えられる連結装置を備え、前記前面扉の裏側には、前記物品収納容器の前方位置で前記前面扉の回動と共に回動する補助物品収納部を設けたことを特徴とする。そして、第３の発明では、前記連結装置の操作部を前記前面扉の取っ手に設けたことを特徴とする。
【０００７】
第４の発明の物品貯蔵庫は、前記貯蔵室を冷蔵温度室とし、前記物品補助収納部をペットボトル等の如き飲料容器の収納部としたことを特徴とする。また、第５の発明の物品貯蔵庫は、第２又は３の発明において、前記貯蔵室を野菜室とし、前記物品収納容器を上面開口の野菜収納容器とし、前記補助物品収納部をペットボトル等の如き縦長物品を収納する上面開口の収納部としたことを特徴とする。
【０００８】
第６の発明の物品貯蔵庫は、第１乃至４の発明において、前記補助物品収納部を上部が前記前面扉の裏側に揺動自在に支持された上面開口の補助物品収納容器で構成し、前記前面扉と共に前記補助物品収納容器を前傾状態に回動可能に構成したことを特徴とする。
【０００９】
第７の発明の物品貯蔵庫は、貯蔵室の前面開口を開閉する前面扉はその裏側に補助物品収納容器を備え、前記補助物品収納容器の後方位置には前記前面扉と共に前記貯蔵室内に引き出し支持装置によって前後方向に引き出し自在に主物品収納容器が設けられ、前記前面扉は前記引き出し支持装置に対して上部が前方へ回動するように支持され、前記前面扉と前記補助物品収納容器は、前記主物品収納容器と共に動く前後方向引き出し状態と前記主物品収納容器とは別個に前方へ回動する状態とに作動可能としたことを特徴とする。
【００１０】
第８の発明の物品貯蔵庫は、貯蔵室の前面開口を開閉する前面扉と共に主物品収納容器が前記貯蔵室内に引き出し自在に設けられ、前記主物品収納容器の前方で前記前面扉の裏側には補助物品収納容器を設けて前記前面扉と共に前記補助物品収納容器が前傾状態に回動可能に構成され、前記補助物品収納容器の後壁と前記主物品収納容器の前壁には前記前面扉が閉じられた状態において相互に近接若しくは重なり合うフランジを形成したことを特徴とする。
【発明の効果】
【００１１】
第１の発明は、補助物品収納部にペットボトル、ビール瓶及び牛乳パックなどの比較的背の高い比較的重い物品を収納する場合にも、前面扉と共に補助物品収納部を回動させることにより、重いペットボトル等でも斜め状態で取り扱いができるため、この補助物品収納部に対する物品の取り出しと収納がし易くなり、従来に比して労力が少なく使用性に富む貯蔵庫が提供できる。
【００１２】
第２の発明では、連結装置の解除によって前面扉の回動が可能となるため、補助物品収納部への物品の収納及び取り出しの必要時に連結装置を解除操作すれば、前傾状態においての補助物品収納部への物品の収納及び取り出しが可能となり、取り出しと収納がし易くなり、従来に比して労力が少なく使用性に富む貯蔵庫が提供できる。また、前面扉と補助物品収納部の回動によって、補助物品収納部の奥側の物品収納容器への物品の収納及び取り出しもし易くなる効果がある。また、第３の発明では、連結装置の解除操作を前面扉の取っ手部によって行えるため、扉の引き出し操作と連結装置の解除操作を片手で行うことができ、便利である。
【００１３】
第４の発明は、貯蔵室が冷蔵温度室であることにより、前面扉の回動部分が凍結する心配もなく、常時安定した回動が得られる。そして、第５の発明は、物品補助収納部に収納したペットボトル等の如き飲料容器の冷却に適すると共に、前面扉の回動によって前記のようにその飲料容器の取り出しと収納の容易さが達成できる。
【００１４】
また第６の発明は、補助物品収納容器の洗浄などを考慮して、前面扉の裏側に補助物品収納容器を着脱自在に保持する場合にも、補助物品収納容器が前面扉の裏側に揺動自在に支持されるため、補助物品収納容器も前面扉の回動に追随して円滑な回動が得られる。そして、奥側の物品収納容器を上面開口の野菜収納容器とする場合にも、前面扉の回動によって補助物品収納容器も回動して前傾状態となるため、野菜収納容器への野菜や根菜の収納及び取り出しもし易くなる。
【００１５】
第７の発明において、前面扉は引き出し支持装置に対して回動自在に組み合わされ、補助物品収納容器は前面扉の裏側に支持され、主物品収納容器は引き出し支持装置に取り外し可能に載置されるため、これら三部分の組立て関係を冷蔵庫本体から分離して行えることとなり、組立て調整作業がし易くなる。また、これら三部分は冷蔵庫本体から前方へ引き出して外せるようにすれば、洗浄などが便利である。
【００１６】
第８の発明は、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。そして、補助物品収納容器と主物品収納容器とに分割し補助物品収納容器を前面扉と共に前方へ傾斜可能に構成した収納形態を採る場合には、補助物品収納容器の前方への回動領域を確保する必要性から両収納容器間に前後方向の隙間が生じるが、本発明によってこの隙間を小さくするか隠すことができる。このため、前記隙間から主物品収納容器内の冷気が流出して主物品収納容器内の野菜が乾燥することも抑制できると共に、主物品収納容器が引き出された状態で前記隙間が見えることによる見栄えの悪さも解決できる。また、前記フランジによって収納容器の強度アップにもなり、収納容器の補強効果と安定収納に寄与する。
【００１７】
そして、第８の発明において、前記補助物品収納容器の後側壁フランジと前記主物品収納容器の前側壁フランジが重なる場合は、補助物品収納容器の後側壁フランジが主物品収納容器の前側壁フランジの上に重なり合う構成とすることにより、前記主物品収納容器とは別個に前記補助物品収納容器を扉と共に前傾姿勢に回動できる。
【発明を実施するための最良の形態】
【００１８】
本発明は、貯蔵室の前面開口を開閉する前面扉の裏側に配置される物品収納容器を、前面扉の裏側に近い補助物品収納容器とその後方に設けた主物品収納容器とに分割し、貯蔵室の前面開口を開閉する前面扉と共に両物品収納容器を前記貯蔵室内に引き出し自在に設け、主物品収納容器とは別に前面扉と共に補助物品収納容器を前傾状態に回動可能に構成した物品貯蔵庫であり、本発明の実施例を以下に記載する。
【実施例１】
【００１９】
次に本発明の冷蔵庫について説明する。各図は本発明の一つの実施形態を示しており、図１は本発明の冷蔵庫の縦断側面図、図２は本発明の扉側と物品収納容器側との関係を示す分解斜視図、図３は本発明の扉を閉じた状態を示す側面図、図４は本発明の扉を引き出して回動した状態を示す側面図、図５は本発明の扉を閉じた状態の貯蔵室右前側部分の平面図、図６は連結装置の一例の説明図、図７は図１の状態から扉を回動させずに扉をそのまま前方へ引き出した状態の側面図である。
【００２０】
これらの図において、１は貯蔵庫の一つである冷蔵庫であり、前面開口の本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造である。冷蔵庫本体２内には、上から冷蔵室３、野菜室４、上冷凍室５、下冷凍室６が区画して設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り替え室と称することもできる。
【００２１】
冷蔵室３の前面開口は、冷蔵庫本体２の一側部にヒンジ装置にて横方向に回動して開閉される回動式の冷蔵室扉１０にて閉塞される。冷蔵室扉１０の内側面には複数段の棚３７を配置している。野菜室４の前面開口は、野菜室４内に設けた左右のレールとローラを含む引き出し支持装置３８によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールとローラを含む引き出し支持装置によって、それぞれ前後方向へ引き出し可能に支持した容器１６、１７と共に前方へ引き出される引き出し式扉１２、１３にて閉塞されている。
【００２２】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷凍冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５及び下冷凍室６へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。
【００２３】
３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。冷気吹き出し口３６は、冷蔵室３の前面開口部の上面にこの前面開口部の略横幅に渡る長さの冷気吹き出し口カバーが、冷気ダクト３５の前端開口を覆い、この冷気吹き出し口カバーに多数の冷気吹き出し小孔が形成された構成である。この冷気吹き出し口３６から吹き出す冷気は、冷蔵室３の前面開口部を矢印のように上から下へ流れる冷気カーテンを形成する。３９は冷蔵室３の背壁に形成した冷気吹き出し口である。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００２４】
このような構成において、各室の温度は、冷蔵室３が約３〜４℃、野菜室４が約４〜６℃に保たれ、上冷凍室８と下冷凍室９が約−１８℃〜−２０℃である。また、冷蔵室扉１０の内側に設けた貯蔵棚３８上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００２５】
本発明は、貯蔵室の前面開口を開閉する前面扉の裏側に補助物品収納部を備え、この補助物品収納部の後方位置には前面扉と共に貯蔵室内に前後方向引き出し自在に主物品収納部が設けられ、前面扉と補助物品収納部は、主物品収納部と共に動く前後方向引き出し状態と主物品収納部とは別個に前方へ回動する状態とに作動可能としたことを特徴とする。以下、本発明の貯蔵室を上記野菜室４とした実施形態について説明する。
【００２６】
本発明における貯蔵室は野菜室４に相当し、貯蔵室の前面開口を開閉する前面扉は引き出し式扉１１に相当する。また、本発明の主物品収納部及び物品収納容器が上面開口の野菜容器１５に相当する。前面扉１１の裏側には上面開口の補助物品収納部４０を設けており、主物品収納部の野菜容器１５はこの補助物品収納部４０の後方に位置する。野菜容器１５は野菜室４内に設けた左右のレールとローラを含む引き出し支持装置３８によって前後方向へ引き出し可能である。補助物品収納部４０は、ドアポケットとも称するものであり、ペットボトル、ビール瓶及び牛乳パックなどの比較的背が高く比較的重い物品４１を立てた状態で収納するために、扉１１の裏側周縁に配置したマグネット入りパッキン４２の内側領域において横方向に長く設けられている。
【００２７】
引き出し支持装置３８について説明する。野菜容器１５は野菜室４内に引き出し支持装置３８によって前後方向へ引き出し可能であり、引き出し支持装置３８に取り外し自在に載置した構成である。その引き出し支持装置３８の構成は、左右辺と後辺を持つコ字状枠形状のレール部材４３を設け、レール部材４３の左右辺の前部に対して前面扉１１が回動可能に支持され、このレール部材４３の下側面は野菜室４の左右側壁面の前端寄りに取り付けたローラ４４に載置されている。また、レール部材４３の左右辺の後部にはそれぞれローラ４５が取り付けられ、このローラ４５が野菜室４の左右側壁面に前後方向に水平状態に形成したレール４６に載置される。このような構成の引き出し支持装置３８において、野菜容器１５は、その左右及び後側の上部に形成した載置部８０が、レール部材４３の左右辺と後辺に着脱自在に載置された状態であり、野菜室４内で引き出し支持装置３８によって前後水平方向に引き出し収納自在に支持された構成である。
【００２８】
野菜容器１５は、その前面壁４８は野菜容器１５の底壁からの高さが低く、野菜容器１５の前面上部には前面開口４７が形成された形態をなす。この形状に合わせるように補助物品収納部４０の後壁４９もこの前面壁４８と略同じ程度の高さに形成され、補助物品収納部４０の左右側壁５０は後壁４９からなだらかに扉１１の裏面に向けて高く傾斜した形状をなす。また、野菜容器１５の左右側壁の前端部５１は、補助物品収納部４０の左右側壁５０の上方へ向けて左右側壁５０と間隔を保つ位置まで延びている。
【００２９】
レール部材４３の左右辺の前部には、補助物品収納部４０の左右側壁５０の外側位置まで延びた支持板５２が取り付けられている。支持板５２には、補助物品収納部４０の左右両側において、扉１１の裏側左右から後方へ延びる腕部材５３に設けた水平軸５４が嵌る軸孔５６を形成しており、水平軸５４と軸孔５６との嵌り合い状態で、扉１１は図４のように、引き出し支持装置３８に対して補助物品収納部４０と共に上部が前方へ回動可能に支持された構成である。なお、水平軸５４を支持板５２に設け、軸孔５６を腕部材５３に設けた構成でもよい。
【００３０】
この扉１１の回動範囲を規制する構成は如何なる構成でもよいが、その一つの構成として、左右の支持板５２の両方又は一方に軸孔５６を中心として円弧状のガイド孔５７を形成し、このガイド孔５７に移動自在に嵌るストッパ軸５５を左右の腕部材５３の両方又は一方から水平方向に突出させ、このストッパ軸５５がガイド孔５７の上端に当接したとき扉１１の前方への回動が規制されるようにすることができる。
【００３１】
補助物品収納部４０を備えた扉１１は、野菜容器１５と共に引き出し支持装置３８によって前後方向へ引き出し可能である。このために、野菜容器１５側と扉１１側とが着脱自在に連結される連結装置６０が設けられている。この連結装置６０に一つの形態としては、野菜容器１５側にはレール部材４３の前端から突出したフック６１が設けられ、扉１１側には、このフック６１の鉤状部に着脱自在に係止する係止部６２と、この係止部６２がフック６１との係止を解除させる操作部６３とを設けた構成である。フック６１は、レール部材４３と一体形成でもよく又はレール部材４３に別個のフックを取り付けた構成のいずれでもよい。
【００３２】
係止部６２の一つの形態としては、常時フック６１との係止位置へ向けてバネ６４によって電磁石６５本体から突出した可動部材で構成することができる。そして、操作部６３は、扉１１の前面に突出した取っ手６６内に設けたスイッチ６７を取っ手６６の裏側に突出した操作部を操作することによりＯＮさせる構成であり、スイッチ６７のＯＮ状態中は電磁石６５に通電して係止部６２を矢印Ｙ方向へ吸引して引っ込め、それによって係止部６２をフック６１との係止位置から退避させ、扉１１は軸５４を中心にして前方へ回動可能である。スイッチ６７のＯＦＦによって係止部６２はバネ６４によって電磁石６５本体から突出する。扉１１が前方へ回動した状態で係止部６２が突出していても、扉１１を垂直状態に復帰すべく扉１１を後方へ回動させることによって、係止部６２はバネ６４に抗してフック６１に係止することとなる。この係止状態において扉１１を後方へ押し込むことによって、扉１１と共に野菜容器１５は引き出し支持装置３８によって野菜室４内へ水平に収納移動される。
【００３３】
７０は野菜容器１５の左右側壁の上端に形成した凹所７１に載置した小物入れ容器である。扉１１の前方への回動に伴って補助物品収納部４０が回動することにより、野菜容器１５の前面には空間が形成されため、野菜容器１５への物の出し入れがし易くなる。また、野菜容器１５は、上面に開口し、更に前面上部も開口しているため、扉１１の前方への回動に伴って補助物品収納部４０が回動することにより、野菜容器１５の前面の空間が広くなり、野菜容器１５への物の出し入れがし易くなる。
【００３４】
また、前面扉１１が物品収納容器（野菜室）１５を支持するレール部材４３に取り付けた支持板５２対して下部の軸支持部を中心として上部が前方へ回動可能に支持される構成は、上記に限定されず他の構成でもよい。
【００３５】
図７は図１の状態から扉１１を回動させずに、扉１１を垂直状態のまま前方へ引き出した状態を示す。上記の説明及び各図から明らかなように、連結装置６０の解除をしない状態では、図７のように扉１１を回動させずに扉１１をそのまま前方へ引き出すことによって、前面扉１１は垂直状態のままで物品収納容器１５と共に前方へ引き出される。そして連結装置６０の解除によって前面扉１１は図４のように前傾姿勢に回動が可能となる。
【００３６】
上記のように、本発明は、物品収納容器１５は貯蔵室４の左右側壁に対して前後方向に引き出し収納自在に支持され、前面扉１１は軸支持部を中心として上部が前方へ回動可能に支持されるように構成し、前面扉１１と物品収納容器１５が共に前後方向へ引き出される結合状態と、この結合状態が解除されて前面扉１１が回動可能となる解除状態とに切り替えられる連結装置６０を備え、前面扉１１の裏側には、物品収納容器１５の前方位置で前面扉１１の回動と共に回動する補助物品収納部４０を設けた構成である。
【００３７】
このため、連結装置６０の解除によって前面扉１１の回動が可能となるため、補助物品収納部４０への物品４１の収納及び取り出しの必要時に連結装置６０を解除操作すれば、前面扉１１の前傾状態においての補助物品収納部４０へのペットボトル等の物品４１の収納及び取り出しが可能となり、取り出しと収納がし易く、従来に比して労力が少なく使用性に富む貯蔵庫が提供できる。また、前面扉１１と補助物品収納部４０の回動によって、補助物品収納部４０の奥側の物品収納容器１５への物品の収納及び取り出しがし易くなる効果がある。また、連結装置６０の解除操作を前面扉１１の取っ手部６６によって行えるため、扉１１の引き出し操作と連結装置６０の解除操作を片手で行うことができ便利である。
【００３８】
上記実施形態では、連結装置６０が電気式であるが、これに限定されず機械式とすることもできる。例えば、扉１１の取っ手６６の裏側に突出した操作部であるレバーがバネ力によって復帰位置を保ち、取っ手６６を握った手でこのバネ力に抗してこのレバーをスライドさせることにより、連結部材を介してこれと連結した係止部６２がフック６１との係止位置から退避して扉１１が回動可能となり、レバーをスライドさせる操作から手を離すことにより前記バネ力によってレバーが復帰位置に復帰すると共に係止部６２がフックとの係止位置へ突出するように機械式構成とするものでもよい。
【実施例２】
【００３９】
実施例２でも、本発明が解決しようとする課題は、前述したように野菜容器の前面と前面扉の内側面との間に、ペットボトル、ビール瓶及び牛乳パックなどの比較的背の高い貯蔵物を収納する収納部を設けた場合にも、この収納部とその奥の野菜容器に対する物の取り出しと収納をし易い構成を提供するものである。
【００４０】
このため、本発明の技術的手段は、貯蔵室の前面開口を開閉する前面扉の裏側に配置される物品収納容器を、前面扉の裏側に近い補助物品収納容器とその後方に設けた主物品収納容器とに分割し、貯蔵室の前面開口を開閉する前面扉と共に両物品収納容器を前記貯蔵室内に引き出し自在に設け、主物品収納容器とは別に前面扉と共に補助物品収納容器を前傾状態に回動可能に構成した物品貯蔵庫である。
【００４１】
そして、物品収納容器を補助物品収納容器と主物品収納容器とに分割し、主物品収納容器は前面扉と共に前方へ引き出し自在であるが、補助物品収納容器は前面扉と共に前方へ引き出し自在であると共に前面扉と共に上部が前傾状態に傾斜可能に構成した収納形態を採る場合には、補助物品収納容器の前方への回動領域を確保する必要性から両収納容器間に前後方向の隙間が生じるが、本発明はこの隙間を小さくするか隠すことによって、主物品収納容器内の冷気の流出を抑制して野菜が乾燥することを抑制すると共に、主物品収納容器が引き出された状態で前記隙間が見えることによる見栄えの悪さも解決し、収納容器の補強効果と安定収納可能な構成を提供する。
【００４２】
このための技術的手段として、本発明は、貯蔵室の前面開口を開閉する前面扉と共に主物品収納容器が前記貯蔵室内に引き出し自在に設けられ、前記主物品収納容器の前方で前記前面扉の裏側には補助物品収納容器を設けて前記前面扉と共に前記補助物品収納容器が前傾状態に回動可能に構成され、前記補助物品収納容器の後側壁と前記主物品収納容器の前側壁には前記前面扉が閉じられた状態において相互に近接若しくは重なり合うフランジを形成したものである。
【００４３】
これによって、補助物品収納容器にペットボトル、ビール瓶及び牛乳パックなどの比較的背の高い比較的重い物品を収納する場合にも、前面扉と共に補助物品収納容器を回動させることにより、重いペットボトル等でも斜め状態で取り扱いができるため、この補助物品収納容器に対する物品の取り出しと収納がし易くなり、従来に比して労力が少なく使用性に富む貯蔵庫が提供できる。
【００４４】
そして、補助物品収納容器と主物品収納容器とに分割し補助物品収納容器を前面扉と共に前方へ傾斜可能に構成した収納形態を採る場合には、補助物品収納容器の前方への回動領域を確保する必要性から両収納容器間に前後方向の隙間が生じるが、本発明によってこの隙間を小さくするか隠すことができる。このため、前記隙間から主物品収納容器内の冷気が流出して主物品収納容器内の野菜が乾燥することも抑制できると共に、主物品収納容器が引き出された状態で前記隙間が見えることによる見栄えの悪さも解決できる。また、前記フランジによって収納容器の強度アップにもなり、収納容器の補強効果と安定収納に寄与する。
【００４５】
そして、前記補助物品収納容器の後側壁フランジと前記主物品収納容器の前側壁フランジが重なる場合は、補助物品収納容器の後側壁フランジが主物品収納容器の前側壁フランジの上に重なり合う構成とする。これによって、前面扉を回動させるとき、主物品収納容器が邪魔にならないため、補助物品収納容器の回動が円滑に行える。そして、補助物品収納容器を前面扉に取り外し自在に支持した構成にした場合にも、主物品収納容器が邪魔にならずに補助物品収納容器を取り付け取り外しができるものとなり、補助物品収納容器の前面扉への組立て時や清掃時における取り外しや取り付け作業がし易い構成となる。
【００４６】
また、本発明は、上記のように、物品収納容器を補助物品収納容器と主物品収納容器とに分割し、主物品収納容器は引き出し支持装置によって前面扉と共に前方へ引き出し自在であるが、補助物品収納容器は前面扉と共に前方へ引き出し自在であると共に前面扉と共に上部が前傾状態に傾斜可能に構成した収納形態を採る場合において、引き出し支持装置の補強によって所定形態を確保し、安定した引き出しと収納動作を得ることができるようにする。そして、主物品収納容器の前部と後部の支持機能を向上させることによって、主物品収納容器が野菜等の重量物を安定して収納できるものとする物品収納庫を提供する。
【００４７】
このための技術的手段は、貯蔵室の前面開口を開閉する前面扉はその裏側に補助物品収納容器を備え、前記補助物品収納容器の後方位置には前記前面扉と共に前記貯蔵室内に引き出し支持装置で前後方向引き出し自在に支持された主物品収納容器が設けられ、前記前面扉が略垂直状態に保持されて前記主物品収納容器と共に前後方向へ移動可能な結合状態とこの結合状態が解除されて前記前面扉が前記補助物品収納容器と共に回動可能となる解除状態とに切り替えられる連結装置を備え、前記補助物品収納容器の後側壁と前記主物品収納容器の前側壁には前記結合状態において相互に近接若しくは重なり合うフランジが形成され、前記引き出し支持装置は前記貯蔵室内の左右側壁に沿って配置されて前記前面扉が回動可能に連結された左右のレール部材と前後位置にて前記左右のレール部材を連結する前後の支持部材とを備え、前記主物品収納容器は左右両側が前記左右のレール部材にて支持され前部と後部が前記前後の支持部材によって支持されて前記引き出し支持装置に着脱自在に支持された構成とする。
【００４８】
これによって、上記の効果に加えて、引き出し支持装置は前後位置にて支持部材によって左右のレール部材の相互間隔が確保されて補強されることとなり、安定した引き出しと収納動作を得ることができる。そして、前後の支持部材は主物品収納容器の前部と後部の支持機能をするため、主物品収納容器は左右両側が左右のレール部材にて支持され前部と後部がこの支持部材によって支持されることとなり、野菜等の重量物を安定して収納できるものとなる。
【００４９】
このように、実施例２に係る発明を実施するための最良の形態としては、貯蔵室の前面開口を開閉する前面扉と共に主物品収納容器を前記貯蔵室内に引き出し自在に設け、主物品収納容器の前方で前面扉の裏側には補助物品収納容器を設けて前面扉と共に補助物品収納容器を前傾状態に回動可能に構成した物品貯蔵庫であり、補助物品収納容器の後側壁と主物品収納容器の前側壁には前面扉が閉じられた状態において相互に近接若しくは重なり合うフランジを形成したものであり、本発明の実施例２の詳細を以下に記載する。
【００５０】
各図は本発明の実施例２に係る冷蔵庫を示しており、図８は本発明の冷蔵庫の縦断側面図、図９は本発明の扉側と物品収納容器側との関係を示す分解斜視図、図１０は本発明の扉を閉じた状態を示す側面図、図１１は本発明の扉を閉じた状態を示す補助物品収納部（補助物品収納容器）と物品収納部（主物品収納容器）の関係を示す側面図、図１２は本発明の扉を裏側から見た斜視図、図１３は本発明の扉と補助物品収納部（補助物品収納容器）と物品収納部（主物品収納容器）の関係を示す分解斜視図、図１４は補助物品収納部（補助物品収納容器）の斜視図、図１５は本発明の扉を閉じた状態において扉を前傾状態に約１５°回動させた状態の側面図、図１６は本発明の扉を閉じた状態において扉を前傾状態に約３０°回動させた状態の側面図である。
【００５１】
これらの図において、図１乃至図７と同符号部は同じ機能部を示すものとし、その説明は上記実施例１で記載したことを援用するものとする。１は物品貯蔵庫であり、以下、物品貯蔵庫１の一つである冷蔵庫（冷凍冷蔵庫とも称される）について本発明の実施形態を説明する。冷蔵庫１は前面開口の本体２内を区画して複数の貯蔵室を形成し、これら各貯蔵室の前面は扉で開閉できる構成である。冷蔵室３の前面開口は、冷蔵庫本体２の一側部にヒンジ装置にて横方向に回動して開閉される回動式の冷蔵室扉１０にて閉塞される。冷蔵室扉１０の内側面には複数段の棚３７を配置している。野菜室４の前面開口は、野菜室４内に設けた左右のレールとローラを含む引き出し支持装置３８によって前後方向へ引き出し可能に支持した合成樹脂製野菜容器１５と共に前方へ引き出される引き出し式扉１１にて閉塞されている。上冷凍室５と下冷凍室６はそれぞれ野菜室４と同様に、冷凍室内に設けた左右のレールとローラを含む引き出し支持装置によって、それぞれ前後方向へ引き出し可能に支持した容器１６、１７と共に前方へ引き出される引き出し式扉１２、１３にて閉塞されている。
【００５２】
以下、本発明の貯蔵室を上記野菜室４とした実施形態について説明する。上記のように野菜室４の前面開口を開閉する前面扉は引き出し式扉１１に相当する。また、本発明の主物品収納部を構成する主物品収納容器１５は上面開口の野菜容器１５に相当する。前面扉１１の裏側には野菜容器１５の前方位置に上面開口の補助物品収納部を構成する合成樹脂製の補助物品収納容器４０を設けており、主物品収納部の野菜容器１５はこの補助物品収納容器４０の後方に位置する。野菜容器１５は野菜室４内に設けた左右のレールとローラを含む引き出し支持装置３８によって前後方向へ引き出し可能である。
【００５３】
前面扉１１の裏側の補助物品収納部は、前面扉１１の裏板に一体又は別体で形成した所謂ドアポケットとも称する形態でもよいが、実施形態の補助物品収納部４０は、前後左右に壁を備えた上面開口の容器形態であり、補助物品収納容器４０として示す。補助物品収納容器４０は、前後左右の壁を有して上面開口の容器を構成し、ペットボトル、ビール瓶及び牛乳パックなどの比較的背が高く比較的重い物品４１の複数を立てた状態で収納する形態であり、扉１１の裏側周縁に配置したマグネット入りパッキン４２の内側領域において横方向に長く設けられている。補助物品収納容器４０は、その上端部に設けた下向きフランジ状の係止部９０が前面扉１１の裏板に設けた上向き係止部９１に揺動自在に引っ掛けられて、前面扉１１の裏側に着脱自在に保持される。
【００５４】
そして、前面扉１１は引き出し支持装置３８によって前後方向へ引き出し可能に支持され、その引き出しに伴って裏側の補助物品収納容器４０が引き出される。また、前面扉１１は引き出し支持装置３８に軸支持部である水平軸５４によって回動可能に支持されている。
【００５５】
引き出し支持装置３８について説明する。野菜容器１５は野菜室４内に引き出し支持装置３８によって前後方向へ引き出し可能であり、野菜容器１５は引き出し支持装置３８に取り外し自在に載置した構成である。その引き出し支持装置３８の構成は、野菜室４内の側壁に沿った縦面とこの縦面の上下に水平方向に突出した上側面と下側面によってコ字状形状をなすレール部材４３を設け、左右レール部材４３の前部に前面扉１１が支持される形態であり、このレール部材４３の下側面は野菜室４の左右側壁面の前端寄りに取り付けたローラ４４に載置されている。
【００５６】
また、左右レール部材４３の後部にはそれぞれローラ４５が取り付けられ、このローラ４５が野菜室４の左右側壁面に前後方向に水平状態に形成したレール４６に載置される。このような構成の引き出し支持装置３８において、野菜容器１５は、その左右側の上部に外側フランジとして形成した載置部８０が、左右レール部材４３に着脱自在に載置された状態であり、野菜室４内で引き出し支持装置３８によって前後水平方向に引き出し収納自在に支持された構成である。
【００５７】
また、引き出し支持装置３８の左右レール部材４３の前後位置は、前後の支持部材４３Ａ、４３Ｂによって左右のレール部材４３相互が連結されて、レール部材４３は実質的に四角形状の枠状になる。支持部材４３Ａ、４３Ｂは断面円形の支持棒にて構成されており、この支持部材４３Ａ、４３Ｂによって、左右のレール部材４３の相互間隔が確保されて正規の位置を確保できると共に、引き出し支持装置３８が補強されることとなり、安定した引き出し収納動作を得ることができる。そして前後の支持棒４３Ａ、４３Ｂは、野菜容器１５の前部と後部の支持部材としても機能している。
【００５８】
その具体的な構成は、野菜容器１５の前部と後部に形成したフランジ１５Ａ、１５Ｂ内に形成した複数のリブ１５Ｃが、それぞれ前後の支持棒４３Ａ、４３Ｂに載置支持された状態である。これによって、主物品収納容器である野菜容器１５は、左右両側が左右のレール部材４３にて支持され、前部と後部がこの支持棒４３Ａ、４３Ｂによって支持されることとなり、野菜等の重量物を安定して収納できるものとなる。
【００５９】
このように、本発明では、引き出し支持装置３８は、野菜室４（貯蔵室）内の左右側壁に沿って配置されて前面扉１１が回動可能に連結された左右のレール部材４３と、前後位置にてこの左右のレール部材４３を連結する前後の支持棒４３Ａ、４３Ｂとを備えており、野菜容器１５は左右両側が左右のレール部材４３にて載置された状態で支持され、前部と後部が前後の支持棒４３Ａ、４３Ｂによって載置された状態で支持されており、野菜容器１５は引き出し支持装置３８に着脱自在に支持された構成である。
【００６０】
野菜容器１５は、その前面壁４８は野菜容器１５の底壁からの高さが低く、野菜容器１５の前面上部には前面開口４７が形成された形態をなす。この形状に合わせるように、補助物品収納容器４０の後壁４９Ａもこの前面壁４８と略同じ程度か若干高い高さに形成され、補助物品収納容器４０の左右側壁５０は後壁４９Ａから前壁４９Ｂ、即ち扉１１の裏面に向けて高く傾斜した形状をなす。補助物品収納容器４０の左右側壁５０は補強として外面に複数のリブ５０Ａを形成している。また野菜容器１５の左右側壁の前端部５１は、補助物品収納容器４０の左右側壁５０の上部外面に対応するように、左右側壁５０と若干の間隔を保つ位置まで延びている。この左右側壁の前端部５１はレール部材４３に載置支持されるように構成すれば、野菜容器１５の重量支持が強固となる。
【００６１】
前面扉１１は引き出し支持装置３８に軸支持部である水平軸５４によって回動可能に支持されている。この軸支持部は以下の構成である。即ち、左右レール部材４３は、その前部に補助物品収納容器４０の左右側壁５０の外側位置において扉１１の裏側近くまで延びた支持板５２を備えている。扉１１の裏側の下部、即ちパッキン４２で囲まれた内側領域の下部には、支持部材５３が扉１１内の金属製固定板５５に螺子によって締め付け固定されている。支持板５２と支持部材５３の何れか一方に取り付けた水平軸５４によって、支持板５２と支持部材５３とが相互に回動自在に軸結合された軸支持部を構成している。これによって、前面扉１１は引き出し支持装置３８のレール部材４３に軸支持部によって回動可能に連結支持され、前面扉１１は補助物品収納容器４０と共に上部が前方へ傾斜するように回動可能である。軸支持部は、他の構成でも差し支えない。
【００６２】
前面扉１１の前方へ傾斜する回動範囲を規制する構成は種々の構成が考えられるが、その一つの構成として、左右の支持板５２の両方又は一方の後端部には内側方向へ略９０°の角度で屈曲した固定側係止部９５を形成し、一方、前面扉１１の裏側には、固定側係止部９５に対向位置となるように、前面扉１１に取り付けた支持部材５３に形成した可動側係止部９７を形成している。これによって、前面扉１１を前方へ傾斜回動することによって、引き出し支持装置３８に形成した固定側係止部９５に前面扉１１側の可動側係止部９７が当接したとき、前面扉１１の前方への回動範囲が規制される。この回動範囲は、補助物品収納容器４０に対する物品の収納、取り出しのし易さを考慮して、例えば、２０°〜６０°の範囲で任意の角度に設定することができる。
【００６３】
前面扉１１が貯蔵室（野菜室）４の前面開口を閉じた状態では、図１１に示すように、固定側係止部９５と可動側係止部９７は離れた状態である。軸支持部の水平軸５４を中心として前面扉１１の上部が前方へ回動して固定側係止部９５へ可動側係止部９７が当接したとき、前面扉１１の前方への回動が規制され、前面扉１１は前傾状態となる。固定側係止部９５へ可動側係止部９７が当接した状態において、補助物品収納容器４０に物品が収納されている状態、或いは補助物品収納容器４０に物品が収納されていない状態のいずれにおいても、前面扉１１やその物品の重量によって自然に前面扉１１が垂直状態に復帰する場合と、前傾状態を保持する場合のいずれかになるように、この軸支持部の位置と前面扉１１の回動範囲とを設定することができる。
【００６４】
補助物品収納容器４０を備えた扉１１は、野菜容器１５と共に引き出し支持装置３８によって前後方向へ引き出し可能である。このために、野菜容器１５側と扉１１側とが着脱自在に連結される連結装置６０が設けられている。この連結装置６０の操作部６３は、取っ手６６の中間に突出した状態であるが、この連結装置６０の操作と動作は上記で説明したことと同じであるため、ここではその説明は省略する。
【００６５】
上記のように、連結装置６０によって、前面扉１１が支持装置３８に回動が阻止された結合状態と、この結合状態が解除されて前面扉１１が回動可能となる解除状態とに切り替えられる。
【００６６】
補助物品収納容器４０の後壁４９Ａと野菜容器（主物品収納容器）１５の前壁４８にはそれぞれフランジ１５Ｄ、４０Ａが形成されており、連結装置６０によって前面扉１１が支持装置３８に回動が阻止された結合状態においては、フランジ４０Ａがフランジ１５Ｄの上側に重なる状態となる。この場合、フランジ４０Ａとフランジ１５Ｄは当接してもよく、また近接状態でもよい。なお、連結装置６０によって前面扉１１が支持装置３８に回動が阻止された結合状態において、フランジ４０Ａとフランジ１５Ｄは、重なり合うのではなく水平方向で前後に近接する状態でもよい。フランジ１５Ｄを野菜容器１５の前壁４８と左右側壁の前端部５１の下部に一連に形成し、フランジ４０Ａを補助物品収納容器４０の後壁４９Ａと左右側壁５０のリブ５０Ａの下面部に一連に形成し、フランジ４０Ａがフランジ１５Ｄの上側に重なる状態とすれば、補助物品収納容器４０の支持も安定する。
【００６７】
この実施形態のように、物品の収納部を補助物品収納容器４０と野菜容器１５（主物品収納容器）とに分割し、補助物品収納容器４０を前面扉１１と共に前方へ傾斜可能に構成した形態を採る場合には、補助物品収納容器４０の前方への回動領域を確保する必要性から両収納容器１５、４０間に前後方向の隙間が生じるが、本発明では、上記のようなフランジ４０Ａとフランジ１５Ｄの関係によって、連結装置６０による前記結合状態においても、補助物品収納容器４０と野菜容器１５との間の隙間を小さくするか、この隙間を隠すことができる。このため、前記隙間から野菜容器１５内の冷気が流出して野菜容器１５の野菜が乾燥することも抑制できると共に、野菜容器１５が引き出された状態で前記隙間が見えることによる見栄えの悪さも解決できる。
【００６８】
また、フランジ４０Ａとフランジ１５Ｄによって、補助物品収納容器４０と野菜容器１５の強度アップにもなり、これら容器の補強効果と安定収納に寄与する。前面扉１１が閉じた状態では図１１のように、補助物品収納容器４０のフランジ４０Ａが野菜容器１５のフランジ１５Ｄの上側に重なる状態とし、前面扉１１側の係止部９１の上端が補助物品収納容器４０側の係止部９０の下方に若干離れて補助物品収納容器４０の前壁４９Ｂに当接して、補助物品収納容器４０を略垂直状態に支持するようにし、前面扉１１の回動に伴ってフランジ４０Ａと１５Ｄの係合が外れて補助物品収納容器４０の若干の下方移動によって、図１５、図１６に示すように係止部９０と係止部９１との係合になり、前面扉１１を開いた状態での補助物品収納容器４０の支持も安定する。
【００６９】
また、補助物品収納容器４０のフランジ４０Ａが野菜容器１５のフランジ１５Ｄの上側に重なる状態とすることにより、上記の効果に加えて前面扉１１を回動させるとき、野菜容器１５が邪魔にならないため、補助物品収納容器４０の回動が円滑に行える。そして前述のように、補助物品収納容器４０を前面扉１１に取り外し自在に支持した構成にした場合にも、野菜容器１が邪魔にならずに補助物品収納容器４０を取り付け取り外しができるものとなり、補助物品収納容器４０の前面扉１１への組立て時や清掃時における取り外しや取り付け作業がし易い構成となる。
【００７０】
また、前面扉１１が主物品収納容器（野菜容器）１５を支持するレール部材４３に対して前記軸支持部を中心として上部が前方へ回動可能に支持される構成は、上記に限定されず他の構成でもよい。また、前面扉１１を前方へ引き出したとき、冷蔵庫本体から落下しないように引き出し支持装置３８と冷蔵庫本体との間にストッパ装置を設ければよい。また、引き出し支持装置３８が結合された前面扉１１と、野菜容器１５と、補助物品収納容器４０は、冷蔵庫本体から前方へ引き出した状態において、冷蔵庫本体２から外せるようにすれば、洗浄などが便利である。
【００７１】
上記のように、本発明では、主物品収納容器（野菜容器）１５は引き出し支持装置３８にて貯蔵室４に前後方向に引き出し収納自在に支持され、前面扉１１も引き出し支持装置３８にて前後方向に引き出し自在に支持されている。そして、前面扉１１は軸支持部の水平軸５４を中心として上部が前方へ回動可能に支持されるように構成され、前面扉１１が垂直状態において主物品収納容器（野菜容器）１５と共に前後方向へ引き出される結合状態と、この結合状態が解除されて前面扉１１が回動可能となる解除状態とに切り替えられる連結装置６０を備え、前面扉１１の裏側には、主物品収納容器（野菜容器）１５の前方位置で前面扉１１の回動と共に回動する補助物品収納部４０を設けている。
【００７２】
上記のような構成において、補助物品収納容器４０内には実施例１と同様に、ペットボトル等の物品４１の複数個を立てた状態で一列に収納可能に構成されている。前面扉１１が貯蔵室（野菜室）４の前面開口を閉じた略垂直状態では、連結装置６０によって前面扉１１が支持装置３８に回動が阻止された結合状態である。この結合状態において、前面扉１１の取っ手６６を前方へ引くことにより、前面扉１１は略垂直状態のまま物品収納容器１５と共に水平方向へ引き出される。この引き出された位置で、取っ手６６の中間に突出した操作部６３を操作して連結装置６０による前記結合状態を解除することにより、前面扉１１は、軸支持部を中心として上部が前方へ回動可能となる。前面扉１１は前方へ回動した状態では、補助物品収納容器４０内のペットボトル等の物品４１を前傾した前面扉１１方向に沿って、斜め上方へ取り出すことができる。
【００７３】
このように、連結装置６０の解除によって前面扉１１の回動が可能となるため、補助物品収納容器４０への物品の収納及び取り出しの必要時に連結装置６０を解除操作すれば、前面扉１１の前傾状態においての補助物品収納容器４０への物品の収納及び取り出しが可能となり、取り出しと収納がし易く、従来に比して労力が少なく使用性に富む貯蔵庫が提供できる。また、前面扉１１と補助物品収納容器４０の回動によって、補助物品収納容器４０の奥側の主物品収納容器（野菜容器）１５への物品の収納及び取り出しがし易くなる効果がある。また、連結装置６０の解除操作を前面扉１１の取っ手部６６によって行えるため、扉１１の引き出し操作と連結装置６０の解除操作を片手で行うことができ便利である。
【００７４】
上記のように、連結装置６０の解除によって前面扉１１の回動が可能となるため、前面扉１１が貯蔵室（野菜室）４の前面開口を閉じた状態において、連結装置６０を解除すると前面扉１１は前方へ回動可能となる。連結装置６０を解除して、補助物品収納部４０の物品４１を取り出せるように前面扉１１を前方へ回動し、補助物品収納容器４０の物品４１を斜め前方へ引き上げると、物品４１の重量によって前面扉１１を前方へ押す作用力が働き、前面扉１１が前方へ移動する場合がある。このように物品４１の引き上げ途中に前面扉１１が前方へ移動すると、物品４１の引き上げが不安定となり、物品４１の引き上げを難くすると共に、物品４１を引き上げ途中で落とすことにも繋がり、重い物品４１の場合には危険である。
【００７５】
本発明では、このような支障が生じないように、前面扉１１が野菜室４の前面開口を閉じた状態において、前面扉１１を回動して補助物品収納容器４０からペットボトル等を斜め上方に取り出すとき、その取り出しに伴う前面扉１１の前方への移動が制限されるようにして、ペットボトル等の取り出し操作が安定に行える物品貯蔵庫を提供する。
【００７６】
その構成の一つとして、前面扉１１が貯蔵室（野菜室）４の前面開口を閉じた状態において、連結装置６０が解除されて前面扉１１が前傾状態に回動したとき、前面扉１１の引き出しが制限される係止装置１００を設けている。即ち、前面扉１１が貯蔵室（野菜室）４の前面開口を閉じた状態において、連結装置６０を解除して、補助物品収納容器４０の物品４１を取り出せる位置まで前面扉１１を前方へ回動すると、前面扉１１に設けた支持部材５３に取り付けた係止腕９６の先端係止部９８が貯蔵室（野菜室）４の側壁部に突出状に設けた係止部９９の後側に当接する。この当接によって、前面扉１１は引き出し支持装置３８による前方への引き出しが規制される。この係止腕９６の係止部９８と貯蔵室（野菜室）４側の係止部９９とで係止装置１００を構成する。図１６には前面扉１１が約３０°前傾状態に回動したとき係止腕９６の先端係止部９８が貯蔵室（野菜室）４の壁部の係止部９９の後側に当接する状態を示している。
【００７７】
この構成によって、前傾した前面扉１１に沿って補助物品収納容器４０の物品４１を引き上げ、その引き上げに伴って物品４１が前面扉１１を前方へ押しても、その作用力によって前面扉１１が前方へ移動することは阻止される。このため、物品４１の引き上げ操作が安定し、重い物品４１の場合にも落下の危険も少なくなる。
【００７８】
上記の構成では、前面扉１１が貯蔵室（野菜室）４の前面開口を閉じた状態において、連結装置６０を解除して前面扉１１を前方へ回動させたとき、引き出し支持装置３８による前面扉１１の前方への引き出しが係止装置１００によって規制される構成である。しかし、前面扉１１を引き出し支持装置３８によって若干前方へ引き出した状態で、連結装置６０を解除して前面扉１１を前方へ回動させたとき、係止装置１００によって前面扉１１の前方への引き出しが規制される構成とすることもできる。この場合には、係止腕９６の取り付け角度や長さ等を設定して、前面扉１１をある程度前方へ引き出した状態で係止部９８が固定側ローラ４４に係止するように構成すればよい。
【００７９】
例えば図１０のように前面扉１１が野菜室４の前面開口を閉じた状態において、前面扉１１を前方へ引き出した後、前面扉１１を前傾状態に回動させ、この前傾状態に回動した状態で前面扉１１を野菜室４の前面開口側へ向けて押し込まれた場合、係止腕９６の係止部９８が係止部９９の前面に当接する。このとき係止腕９６が剛性であれば前面扉１１を閉じることができなくなったり、係止部９８か係止部９９が破損する虞がある。本発明では、係止腕９６を若干弾性変形する合成樹脂製とすることによって、係止腕９６の係止部９８が係止部９９の前面に当接したとき、係止腕９６が弾性変形して係止部９９の下側を潜り抜けて破損を防止できる構成としている。
【００８０】
また、本発明では、補助物品収納容器４０は、その上端部に設けたフランジ状の係止部９０が前面扉１１の裏板に設けた係止部９１に揺動自在に引っ掛けられて、前面扉１１の裏側に着脱自在に保持される構成である。このため、補助物品収納容器４０は前面扉１１
と主物品収納容器（野菜容器）１５から自由に取り外し自在である。
【００８１】
また、補助物品収納容器４０は、前面扉１１が前傾状態に回動することによって、前面扉１１のその前傾角度よりも更に前傾するように構成している。このために、例えば前面扉１１が最大３０°前傾状態に開くように設定されている場合において、図１５に示すように、前面扉１１が約１５°前傾状態に開いたときから補助物品収納容器４０に当接し、前面扉１１が図１６に示すように最大３０°の前傾状態に開くまで、補助物品収納容器４０を後方へ徐々に押すための押し圧部１０１を左右レール部材４３に設けた支持板５２に屈曲形成している。
【００８２】
これによって、前面扉１１がある程度開かれた状態から、更に前面扉１１が開かれることによって、補助物品収納容器４０の前傾角度が、そのときの前面扉１１の前傾角度よりも大きくなるので、前面扉１１の前傾角度が比較的小さくても、補助物品収納容器４０に対する物品の取り出しや収納がし易くなる。
【産業上の利用可能性】
【００８３】
上記実施形態では貯蔵室が野菜室の形態を示しているが、上記実施形態に限定されず、本発明の技術的範囲を逸脱しない限り種種の変更が考えられ、それに係る種種の実施形態を包含するものである。
【図面の簡単な説明】
【００８４】
【図１】本発明の冷蔵庫の縦断側面図である。（実施例１）
【図２】本発明の扉側と物品収納容器側との関係を示す分解斜視図である。（実施例１）
【図３】本発明の扉を閉じた状態を示す側面図である。（実施例１）
【図４】本発明の扉を引き出して回動した状態を示す側面図である。（実施例１）
【図５】本発明の扉を閉じた状態の貯蔵室右前側部分の平面図である。（実施例１）
【図６】本発明の連結装置の説明図である。（実施例１）
【図７】図１の状態から扉を回動させずに扉をそのまま前方へ引き出した状態の説明図である。（実施例１）
【図８】本発明の冷蔵庫の縦断側面図である。（実施例２）
【図９】本発明の扉側と物品収納容器側との関係を示す分解斜視図である。（実施例２）
【図１０】本発明の扉を閉じた状態を示す側面図である。（実施例２）
【図１１】本発明の扉を閉じた状態を示す補助物品収納部（補助物品収納容器）と物品収納部（主物品収納容器）の関係を示す側面図である。（実施例２）
【図１２】本発明の扉を裏側から見た斜視図である。（実施例２）
【図１３】本発明の扉と補助物品収納部（補助物品収納容器）と物品収納部（主物品収納容器）の関係を示す分解斜視図である。（実施例２）
【図１４】補助物品収納部（補助物品収納容器）の斜視図である。（実施例２）
【図１５】本発明の扉を閉じた状態において扉を前傾状態に約１５°回動させた状態の側面図である。（実施例２）
【図１６】本発明の扉を閉じた状態において扉を前傾状態に約３０°回動させた状態の側面図である。（実施例２）
【符号の説明】
【００８５】
１・・・貯蔵庫（冷蔵庫）
２・・・貯蔵庫本体（冷蔵庫本体）
４・・・貯蔵室（野菜室）
１１・・・前面扉
１５・・・主物品収納部・物品収納容器（野菜容器）
３８・・・引き出し支持装置
４０・・・補助物品収納部（補助物品収納容器）
４３・・レール
４３Ａ・・支持部材
４３Ｂ・・支持部材
４４、４５・・ローラ
４６・・レール
５２・・支持板
５３・・腕部材
５４・・水平軸
６０・・連結装置
６１・・フック
６２・・係止部
６３・・操作部
６５・・電磁石
６６・・取っ手
６７・・スイッチ
【図１】
2004191039.tif 000003
【図２】
2004191039.tif 000004
【図３】
2004191039.tif 000005
【図４】
2004191039.tif 000006
【図５】
2004191039.tif 000007
【図６】
2004191039.tif 000008
【図７】
2004191039.tif 000009
【図８】
2004191039.tif 000010
【図９】
2004191039.tif 000011
【図１０】
2004191039.tif 000012
【図１１】
2004191039.tif 000013
【図１２】
2004191039.tif 000014
【図１３】
2004191039.tif 000015
【図１４】
2004191039.tif 000016
【図１５】
2004191039.tif 000017
【図１６】
2004191039.tif 000018